(57)【要約】【課題】  ドラグ機構において、ドラグ座金を効率よく冷却できるようにする。【解決手段】  スピニングリールのフロントドラグ機構７は、リール本体２に回転不能かつ前後移動自在に装着されたスプール軸１５と、スプール軸の先端に装着されたスプール４との間に配置されスプールの回転を制動する機構であって、第１ドラグ座金６１と、第２ドラグ座金６２ａ，６２ｂと、ドラグつまみ６３と、を備えている。第１ドラグ座金は、スプールに対して回転不能な座金である。第２ドラグ座金は、第１ドラグ座金とスプール軸方向に交互に並べて配置されスプール軸に対して回転不能な座金である。ドラグつまみは、スプール軸の前部にねじ込まれ、両ドラグ座金への押圧量を調整可能な金属製のつまみである。【選択図】        図４
2006304689.tif 000002
【特許請求の範囲】
【請求項１】
リール本体に回転自在かつ前後移動自在に装着され先端にスプールが回転不能に装着されたスプール軸と、前記リール本体との間に配置され前記スプールの回転を制動するスピニングリールのドラグ機構であって、
前記スプール軸に対して回転不能な第１ドラグ座金と、
前記第１ドラグ座金と前記スプール軸方向に交互に並べて配置され前記リール本体に対して回転不能な第２ドラグ座金と、
前記リール本体の後部にねじ込まれ、前記両ドラグ座金への押圧量を調整可能な金属製のドラグつまみと、
を備えたスピニングリールのドラグ機構。
【請求項２】
前記リール本体は、後部に装着筒部を有し、
前記両ドラグ座金は前記装着筒部の内周部に配置され、
前記ドラグつまみは、前記装着筒部を覆うように有底筒状に形成されている、請求項１に記載のスピニングリールのドラグ機構。
【請求項３】
前記ドラグつまみは、
前記装着筒部に回転自在かつ軸方向移動不能に装着された金属製のつまみ本体と、
前記つまみ本体に回転不能にかつ軸方向移動自在に連結されかつ前記装着筒部の内周部にねじ込まれる金属製の押圧体と、
前記押圧体と前記両ドラグ座金のいずれかとの間に配置されたコイルばねと、
を有する、請求項１又は２に記載のスピニングリールのドラグ機構。
【請求項４】
リール本体に回転不能かつ前後移動自在に装着されたスプール軸と、前記スプール軸の先端に装着されたスプールとの間に配置され前記スプールの回転を制動するスピニングリールのドラグ機構であって、
前記スプールに対して回転不能な第１ドラグ座金と、
前記第１ドラグ座金と前記スプール軸方向に交互に並べて配置され前記スプール軸に対して回転不能な第２ドラグ座金と、
前記スプール軸の前部にねじ込まれ、前記両ドラグ座金への押圧量を調整可能な金属製のドラグつまみと、
を備えたスピニングリールのドラグ機構。
【請求項５】
前記ドラつまみは、
前記スプール軸の前部にねじ込まれる金属製のつまみ本体と、
前記つまみ本体に回転自在に連結され前記スプール軸に回転不能に装着された金属製の押圧体と、
前記つまみ本体と、前記押圧体との間に配置されたコイルばねと、
を有する、請求項４に記載のスピニングリールのドラグ機構。
【請求項６】
前記つまみ本体は、
前記スプール軸の前部にねじ込まれる第１金属製のナット部材と、
前記ナット部材が回転不能かつ軸方向移動自在に係合する合成樹脂製のナット収納部と、
前記ナット収納部が回転不能に設けられる第２金属製のつまみ部と、
を有し、
前記押圧体は、前記つまみ本体に抜け止めされ、
前記コイルばねは、前記ナット部材と前記押圧体との間に配置されている、請求項５に記載のスピニングリールのドラグ機構。
【請求項７】
前記第１金属はステンレス合金であり、前記第２金属は軽合金である、請求項６に記載のスピニングリールのドラグ機構。
【請求項８】
前記ナット収納部と前記つまみ部とは一体成形されている、請求項６又は７に記載のスピニングリールのドラグ機構。
【請求項９】
前記ドラグつまみは、アルミニウム合金又はマグネシウム合金製である、請求項１から８のいずれか１項に記載のスピニングリールドラグ機構。
【請求項１０】
前記ドラグつまみは、冷却用の凹凸部を有する、請求項１から９のいずれか１項に記載のスピニングリールのドラグ機構。
【請求項１１】
前記凹凸部は、前記ドラグつまみの前端面又は後端面に形成されている、請求項１０に記載のスピニングリールのドラグ機構。
【請求項１２】
前記凹凸部は、前記ドラグつまみを前記スプール軸方向に貫通して形成されている、請求項１０又は１１に記載のスピニングリールのドラグ機構。
【発明の詳細な説明】
【技術分野】
【０００１】
本発明は、ドラグ機構、特に、リール本体に回転自在かつ前後移動自在に装着され先端にスプールが回転不能に装着されたスプール軸と、前記リール本体との間に配置され前記スプールの回転を制動するスピニングリールのドラグ機構に関する。
【背景技術】
【０００２】
スピニングリールには、釣り糸に作用する張力を低減するために、ドラグ機構と呼ばれるスプールを制動する機構が装着されているものがある。ドラグ機構には、スプール内でスプールとスプール軸との間に配置されたフロントドラグ機構（たとえば、特許文献１参照）と、リール本体の後部に設けられた装着筒部とスプール軸との間に配置されたリアドラグ機構（たとえば、特許文献２参照）とが知られている。
【０００３】
従来のフロントドラグ機構は、スプールに対して回転不能な第１ドラグ座金と、第１ドラグ座金とスプール軸方向に交互に並べて配置されスプール軸に対して回転不能な第２ドラグ座金と、スプール軸にねじ込まれ両ドラグ座金への押圧量を調整可能なドラグつまみと、を有している。ドラグつまみは、先端部に突出しつまみ突起を有する合成樹脂製の部材である。フロントドラグ機構のスピニングリールでは、スプール軸はリール本体に対して回転不能である。ドラグつまみは、ドラグ機構を覆うようにスプール前部に配置されている。したがって、ドラグ機構のドラグ座金は、ドラグつまみにより閉鎖された空間に配置されることになる。
【０００４】
従来のリアドラグ機構は、スプール軸に対して回転不能な第１ドラグ座金と、第１ドラグ座金とスプール軸方向に交互に並べて配置され装着筒部に対して回転不能な第２ドラグ座金と、装着筒部にねじ込まれドラグ座金への押圧量を調整可能なドラグつまみと、を有している。ドラグつまみは、有底筒状の合成樹脂製の部材である。リアドラグ機構のスピニングリールでは、スプール軸はスプールに回転不能に装着され、リール本体に対して回転自在である。スプール軸は、前後移動するため、第１ドラグ座金は、スプール軸に回転不能かつ軸方向移動自在に装着され筒状部材に回転不能に装着されている。ドラグつまみは、装着筒部を覆うように配置されている。したがって、ドラグ機構のドラグ座金は、ドラグつまみにより閉鎖された空間に配置されることになる。
【０００５】
このような構成のドラグ機構では、魚からの引きが設定されたドラグ力を超えると、ドラグが作動してスプールが糸繰り出し方向に回転する。すると、第１ドラグ座金がスプール又はスプール軸とともに回転し、第２ドラグ座金との間で摩擦が生じてスプールが制動される。このとき、摩擦によりドラグ座金に熱が発生する。特に魚の引きが強くてスプールの回転速度が速くなると摩擦熱が高くなる。
【特許文献１】特開２００２−３４５３６９号公報
【特許文献２】特開平０８−３３６３４７号公報
【発明の開示】
【発明が解決しようとする課題】
【０００６】
前記従来の構成では、フロント及びリアに関わらずドラグつまみにより閉鎖された空間にドラグ機構のドラグ座金が配置される。このため、ドラグ作動時にドラグ座金が発熱すると、合成樹脂製のドラグつまみにより発生した熱の外部への拡散が妨げられ、ドラグ座金を効率よく冷却しにくい。この結果、特に、ドラグ力が大きいドラグ機構では、ドラグ座金の材質に耐熱性が高いものが要求される。このような耐熱性が高い材料は高価であるとともに、耐摩耗性等の性能を同時に満足する材質の選定が難しい。
【０００７】
本発明の下段は、スピニングリールのドラグ機構において、ドラグ座金を効率よく冷却できるようにすることにある。
【課題を解決するための手段】
【０００８】
発明１に係るスピニングリールのドラグ機構は、リール本体に回転自在かつ前後移動自在に装着され先端にスプールが回転不能に装着されたスプール軸と、リール本体との間に配置されスプールの回転を制動する機構であって、第１ドラグ座金と、第２ドラグ座金と、ドラグつまみと、を備えている。第１ドラグ座金は、スプール軸に対して回転不能な座金である。第２ドラグ座金は、第１ドラグ座金とスプール軸方向に交互に並べて配置されリール本体に対して回転不能な座金である。ドラグつまみは、リール本体の後部にねじ込まれ、両ドラグ座金への押圧量を調整可能な金属製のつまみである。
【０００９】
このドラグ機構は、ドラグつまみがリール本体の後部にねじ込まれるリアドラグ機構であり、ドラグが作動してスプールが回転すると、スプール軸が回転して第１ドラグ座金が回転する。そして、リール本体に回転不能に装着された第２ドラグ座金との間で摩擦滑りが生じてスプールの回転が制動される。これにより、両ドラグ座金が発熱する。発生した熱は、ドラグ座金を伝ってドラグ座金を押圧するドラグつまみに伝達され、外部に放熱される。ここでは、ドラグつまみは従来のように熱を伝達しにくい合成樹脂製ではなく金属製であるので、ドラグつまみの放熱性が高くなる。この結果、ドラグ座金が収納されている空間を閉鎖するドラグつまみからドラグ座金の熱が外部に放出されやすくなり、ドラグ座金を効率よく冷却できるようになる。
【００１０】
発明２に係るスピニングリールのドラグ機構は、発明１に記載の機構において、リール本体は、後部に装着筒部を有し、両ドラグ座金は装着筒部の内周部に配置され、ドラグつまみは、装着筒部を覆うように有底筒状に形成されている。この場合には、ドラグつまみにより装着筒部が覆われてドラグ座金が閉鎖された空間に配置されても、ドラグつまみが装着筒部にも接触するので、装着筒部が金属製であれば、装着筒部からもドラグ座金の熱を放出できる。このため、ドラグ座金をさらに効率よく冷却できる。
【００１１】
発明３に係るスピニングリールのドラグ機構は、発明１又は２に記載の機構において、ドラグつまみは、装着筒部に回転自在かつ軸方向移動不能に装着された金属製のつまみ本体と、つまみ本体に回転不能にかつ軸方向移動自在に連結されかつ装着筒部の内周部にねじ込まれる金属製の押圧体と、押圧体と両ドラグ座金のいずれかとの間に配置されたコイルばねとを有する。この場合には、つまみ本体を回すと、つまみ本体は前後に移動せずに押圧体が前後に移動しコイルばねが伸縮し、ドラグ座金を押圧する力が変化する。ここでは、外部に表れるドラグつまみのつまみ本体を回してもつまみ本体が前後移動しないので、ドラグつまみの意匠を向上させることができる。
【００１２】
発明４に係るスピニングリールのドラグ機構は、リール本体に回転不能かつ前後移動自在に装着されたスプール軸と、スプール軸の先端に装着されたスプールとの間に配置されスプールの回転を制動する機構であって、第１ドラグ座金と、第２ドラグ座金と、ドラグつまみと、を備えている。第１ドラグ座金は、スプールに対して回転不能な座金である。第２ドラグ座金は、第１ドラグ座金とスプール軸方向に交互に並べて配置されスプール軸に対して回転不能な座金である。ドラグつまみは、スプール軸の前部にねじ込まれ、両ドラグ座金への押圧量を調整可能な金属製のつまみである。
【００１３】
このドラグ機構は、ドラグつまみがスプール軸の前部にねじ込まれるフロントドラグ機構であり、ドラグが作動してスプールが回転すると、スプールが回転して第１ドラグ座金が回転する。そして、スプール軸に回転不能に装着された回転しない第２ドラグ座金との間で摩擦滑りが生じてスプールの回転が制動される。これにより、両ドラグ座金が発熱する。発生した熱は、ドラグ座金を伝ってドラグ座金を押圧するドラグつまみに伝達され、外部に放熱される。ここでは、ドラグつまみは従来のように熱を伝達しにくい合成樹脂製ではなく金属製であるので、ドラグつまみの放熱性が高くなる。この結果、ドラグ座金が収納されている空間を閉鎖するドラグつまみからドラグ座金の熱が外部に放出されやすくなり、ドラグ座金を効率よく冷却できるようになる。
【００１４】
発明５に係るスピニングリールのドラグ機構は、発明４に記載の機構において、ドラつまみは、スプール軸の前部にねじ込まれる金属製つまみ本体と、つまみ本体に回転自在に連結されスプール軸に回転不能に装着された金属製の押圧体と、つまみ本体と、押圧体との間に配置されたコイルばねと、を有する。この場合には、つまみ本体を回すと、スプール軸方向に前後移動してコイルばねが伸縮し、ドラグ座金を押圧する力が変化する。ここでは、スプール軸に回転不能に装着された押圧体がドラグ座金に接触するので、第２ドラグ座金と接触させることによりドラグ力の調整の際にドラグ座金との相対回転が生じなくなる。この結果、ドラグ力の調整をスムーズに行える。
【００１５】
発明６に係るスピニングリールのドラグ機構は、発明５に記載の機構において、つまみ本体は、スプール軸の前部にねじ込まれる第１金属製のナット部材と、ナット部材が回転不能かつ軸方向移動自在に係合する合成樹脂製のナット収納部と、ナット収納部が回転不能に設けられる第２金属製のつまみ部と、を有し、押圧体は、つまみ本体に抜け止めされ、コイルばねは、ナット部材と押圧体との間に配置されている。この場合には、つまみ部を回すと、ナット収納部に回転不能に収納されたナット部材が回転して前後に移動する。この結果、コイルばねが伸縮して押圧体の押圧力が変化する。このとき、つまみ部はコイルばねにより付勢されるため前後移動しない。ここでは、異種金属製のつまみ部とナット部材との間に合成樹脂製のナット収納部を設けることにより両者が直接接触しないようにしたので、異種金属の接触による電解腐食を防止できる。
【００１６】
発明７に係るスピニングリールのドラグ機構は、発明６に記載の機構において、第１金属はステンレス合金であり、第２金属は軽合金である。この場合には、つまみ部の軽量化を図れるとともに、ナット部材のねじの損傷や腐食を防止できる。
【００１７】
発明８に係るスピニングリールのドラグ機構は、発明６又は７に記載の機構において、ナット収納部とつまみ部とは一体成形されている。この場合には、合成樹脂製のナット部材の型に金属製のつまみ部の少なくとも一部を配置して一体成形することにより、両者を強固に結合できる。
【００１８】
発明９に係るスピニングリールのドラグ機構は、発明１から８のいずれかに記載の機構において、ドラグつまみは、アルミニウム合金又はマグネシウム合金製である。この場合には、アルミニウム合金又はマグネシウム合金製は、軽量でかつ放熱性も優れているので、ドラグつまみの軽量化を図れるとともに、放熱性を向上させることができる。
【００１９】
発明１０に係るスピニングリールのドラグ機構は、発明１から９のいずれかに記載の機構において、ドラグつまみは、冷却用の凹凸部を有する。この場合には、ドラグつまみの表面積が増加するので、放熱面積が増加し、放熱性がさらに向上する。
【００２０】
発明１１に係るスピニングリールのドラグ機構は、発明１０に記載の機構において、凹凸部は、ドラグつまみの前端面又は後端面に形成されている。この場合には、外部に露出する面（フロントドラグ機構の場合は前端面、リアドラグ機構の場合は後端面）に凹凸部を形成するので、放熱性がさらに向上する。
【００２１】
発明１２に係るスピニングリールのドラグ機構は、発明１０又は１１に記載の機構において、凹凸部は、ドラグつまみをスプール軸方向に貫通して形成されている。この場合には、ドラグつまみの内外を空気が流通できるので、冷たい外気でドラグ座金を冷却できる。
【発明の効果】
【００２２】
本発明によれば、ドラグつまみは従来のように熱を伝達しにくい合成樹脂製ではなく金属製であるので、ドラグつまみの放熱性が高くなる。この結果、ドラグ座金が収納されている空間を閉鎖するドラグつまみからドラグ座金の熱が外部に放出されやすくなり、ドラグ座金を効率よく冷却できるようになる。
【発明を実施するための最良の形態】
【００２３】
＜第１実施形態＞
＜概略構成＞
図１及び図２において、本発明の第１実施形態によるフロントドラグ機構７を有するスピニングリールは、釣り竿に装着されハンドル１を回転自在に支持するリール本体２と、ロータ３と、スプール４と、スプール軸１５と、回転伝達機構５と、オシレーティング機構６と、フロントドラグ機構７とを備えている。ロータ３は、ベールアーム（釣り糸案内部の一例）４４を有し、リール本体２の前部に前後軸回りに回転自在に装着されている。スプール４は、ロータ３に案内された釣り糸が外周面に巻き付けられるものであり、ロータ３の前部に前後移動自在に配置されている。スプール軸１５は、リール本体２に前後方向に移動自在に装着され先端にスプール４がドラグ機構７を介して装着されたものである。回転伝達機構５は、ハンドル１の回転をロータ３に伝達するものである。オシレーティング機構６は、回転伝達機構５の回転に応じてスプール軸１５を前後往復移動させて、釣り糸をスプール４に均一に巻き取るための機構である。なお、ハンドル１は、図１及び図３に示すリール本体２の左側と、図２に示すリール本体２の右側とのいずれにも装着可能である。
【００２４】
＜リール本体の構成＞
リール本体２は、図１及び図２に示すように、ロータ３やスプール４を支持するリールボディ２ａと、リールボディ２ａに着脱自在にねじ止め固定された蓋部材２ｂと、リールボディ２ａ及び蓋部材２ｂの後端部を覆うカバー部材２ｃとを主に有している。
【００２５】
リールボディ２ａは、たとえばガラス繊維で強化されたポリアミド系合成樹脂製であり、射出成形法により製造された部材である。リールボディ２ａは、側部に形成された開口を有する機構収納空間を有している。
【００２６】
蓋部材２ｂは、たとえばガラス繊維で強化されたポリアミド系合成樹脂製であり、射出成形法により製造された部材である。蓋部材２ｂは、リールボディ２ａの開口を覆いかつ内部に機構収納空間が形成され得るように形成されている。蓋部材２ｂには、上方に延びる竿取付脚部２ｄが一体形成されている。
【００２７】
カバー部材２ｃは、たとえばＡＢＳ樹脂などの合成樹脂にめっき処理したりステンレス合金を用いたりして傷つきにくくしたものであり、リール本体２の最も傷つきやすい部分を保護するものである。カバー部材２ｃは下端部がねじ３７により固定され上端部は、リールボディ２ａに弾性的に係止されている。具体的には、図２に示すように、リールボディ２ａの背面内側に形成された係止凹部２ｇに引っ掛けられている。
【００２８】
＜回転伝達機構の構成＞
回転伝達機構５は、図２に示すように、ハンドル１が固定されたハンドル軸１０とともに回転するフェースギアからなるマスターギア１１と、このマスターギア１１に噛み合うピニオンギア１２とを有している。マスターギア１１は、ハンドル軸１０が回転不能に装着されたマスターギア軸１１ａと一体形成されている。マスターギア軸１１ａは、リールボディ２ａ及び蓋部材２ｂに軸受（図示せず）により、リールボディ２ａ及び蓋部材２ｂに前後軸と食い違う左右の軸回りに回転自在に支持されている。
【００２９】
ロータ３の回転軸であるピニオンギア１２は筒状に形成されており、その前部１２ａはロータ３の中心部を貫通しており、ナット１３によりロータ３と固定されている。ピニオンギア１２は、その軸方向の中間部と後端部とが軸受１４ａ，１４ｂを介してそれぞれリール本体２に回転自在に支持されている。ピニオンギア１２の内周側には、スプール軸１５が貫通している。
【００３０】
＜オシレーティング機構の構成＞
オシレーティング機構６は、図２に示すように、スプール４の中心部にフロントドラグ機構７を介して連結されたスプール軸１５を回転伝達機構５の回転に連動して前後方向に移動させてスプール４を同方向に移動させるための機構である。オシレーティング機構６は、スプール軸１５に平行に配置された螺軸２１と、螺軸２１に沿って前後方向に移動するスライダ２２と、螺軸２１の先端に固定された中間ギア（図示せず）とを有している。また、オシレーティング機構６は、スライダ２２を前後軸方向に案内する第１及び第２ガイド軸２９ａ，２９ｂと、を有している。
【００３１】
螺軸２１は、スプール軸１５の奥側斜め下方に配置されており、表面が交差する螺旋状溝２１ａが形成されている。螺軸２１はリールボディ２ａに回転自在に支持されている。
【００３２】
スライダ２２は、螺旋状溝２１ａに係合する係合部材２２ａを内部に有し、螺軸２１の回転により前後軸方向に往復移動する。スライダ２２は、スプール軸１５の後端に回転不能に固定されている。スライダ２２は、第１及び第２ガイド軸２９ａ，２９ｂにより前後方向に案内される。中間ギアは、回転伝達機構５に減速機構（図示せず）を介して連結されており、ピニオンギア１２と連動して回転する。
【００３３】
＜ロータの構成＞
ロータ３は、図２に示すように、円筒部３０と、円筒部３０の側方に互いに対向して設けられた第１ロータアーム３１及び第２ロータアーム３２とを有している。円筒部３０と両ロータアーム３１，３２とは一体成形されている。
【００３４】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット１３が配置されており、このナット１３がピニオンギア１２の先端のネジ部に螺合している。
【００３５】
第１ロータアーム３１の先端の外周側には第１ベール支持部材４０が揺動自在に装着されている。第１ベール支持部材４０の先端には、釣り糸をスプール４に案内するためにラインローラ４１が装着されている。また、第２ロータアーム３２の先端の外周側には、第２ベール支持部材４２が揺動自在に装着されている。第１ベール支持部材４０の先端のラインローラ４１と第２ベール支持部材４２との間にはベール４３が設けられている。これらのベール支持部材４０，４２、ラインローラ４１及びベール４３によりベールアーム４４が構成される。
【００３６】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａの前部に固定され、内輪がピニオンギア１２に回転不能に係止されている。操作機構５２は、リール本体２の前部下端でリールボディ２ａと蓋部材２ｂとの間に配置された操作レバー５３を有しており、操作レバー５３を揺動させることでワンウェイクラッチ５１を作動状態及び非作動状態とに切り換られる。このワンウェイクラッチ５１が作動状態のときにロータ３が逆転不能になり、非作動状態のときロータ３が逆転可能になる。
【００３７】
＜スプールの構成＞
スプール４は、たとえば、アルミニウム合金製のものであり、ロータ３の第１ロータアーム３１と第２ロータアーム３２との間に配置されており、スプール軸１５の先端にフロントドラグ機構７を介して装着されている。スプール４は、図３に示すように、外周に釣り糸が巻かれる筒状の糸巻胴部４ａと、糸巻胴部４ａの後端部に一体成形された大径筒状のスカート部４ｂと、糸巻胴部４ａの前端部に配置された前フランジ部４ｃとを有している。
【００３８】
糸巻胴部４ａには、前方に開口する円形のドラグ収納凹部６０が形成されている。ドラグ収納凹部６０の前部６０ａは、後部６０ｂに比べて大径に形成されており、そこには、フランジ固定部材５５がねじ込まれる雌ねじ部６０ｃが形成されている。また、前部６０ａから後部６０ｂにかけてドラグ収納凹部６０の内周面には、図３及び図４に示すように、ドラグ機構７を回り止めするための係止溝６０ｄが直径上に対向して１対形成されている。１対の係止溝６０ｄは、スプール軸方向（前後方向）に沿って形成されている。
【００３９】
前フランジ部４ｃは、糸巻胴部４ａと一体形成された内側部分５３と、内側部分５３に着脱自在に装着された、たとえば硬質セラミック製のリング状の外側部分５４とを有している。外側部分５４は、糸巻胴部４ａの内周面にねじ込み固定されるフランジ固定部材５５により内側部分５３に固定されている。
【００４０】
フランジ固定部材５５は、ドラグ収納凹部６０の前部６０ａに形成された雌ねじ部６０ｃに螺合する雄ねじ部５５ｄを有する筒部５５ａと、筒部５５ａの前端に一体形成された大径の鍔部５５ｂと、鍔部５５ｂから前方に延びた後に外側部分５４の前面に接触する概ね皿状の当接部５５ｃとを有している。筒部５５ａの内径は、ドラグ収納凹部６０の後部６０ｂの内径と同じである。したがって、従来のスプールに比べてドラグ収納凹部６０の内径が大きくなっている。
【００４１】
＜フロントドラグ機構の構成＞
フロントドラグ機構７は、図３及び図４に示すように、スプール４とスプール軸１５との間、具体的には、ドラグ収納凹部６０内に配置され、スプール４の糸繰り出し方向への回転を制動してスプール４にドラグ力を作用させるための機構である。フロントドラグ機構７は、係止溝６０ｄに係合する係止突起部６１ａを有し、スプール軸１５に回転自在に装着される第１ドラグ座金６１と、スプール軸１５に回転不能に装着され第１ドラグ座金６１の両側に配置された、たとえば２枚の第２ドラグ座金６２ａ，６２ｂと、スプール軸１５にねじ込まれ両ドラグ座金６１，６２ａ，６２ｂへの押圧量を可変に調整可能なドラグつまみ６３と、各ドラグ座金６１，６２ａ，６２ｂの間及び第２ドラグ座金６２ｂとドラグ収納凹部６０の底部との間にそれぞれ接触して配置された３枚のドラグディスク６４ａ〜６４ｃとを有している。また、フロントドラグ機構７は、ドラグ作動時に発音する第１発音機構６５と、ドラグつまみ６３とフランジ固定部材５５との間に配置されたシール部材６６とを有している。
【００４２】
第１ドラグ座金６１は、フランジ固定部材５５の筒部５５ａの内径より小さい内径であり、たとえばステンレス鋼などの金属製の円板状の部材である。第１ドラグ座金６１の外径は、ドラグ収納空間６０の内径の９５％〜９９％が好ましい。９９％を超えると、ドラグ収納空間６０に第１ドラグ座金６１を収納しにくくなり、９５％未満であるとドラグ径が小さくなり、大きなドラグ力を得にくい。
【００４３】
第１ドラグ座金６１は、中心部にスプール軸１５が貫通する円形孔６１ｂを有し、外周部に前述した１つの係止突起部６１ａを有している。この係止突起部６１ａが係止溝６０ｄに係合することにより第１ドラグ座金６１はスプール４に対して回転不能にドラグ収納凹部６０に装着される。係止突起部６１ａの突出量は、第１ドラグ座金６１の直径の５％から１０％の範囲が好ましい。突出量が５％未満であると、ドラグ力に対して充分な係止力が得られない。また、１０％を超えると筒部５５ａを通過して第１ドラグ座金６１を装着しにくくなる。
【００４４】
第２ドラグ座金６２ａ，６２ｂは、図３に示すように、フランジ固定部材５５の筒部５５ａの内径より小さい内径であり、たとえばステンレス鋼などの金属製の円板状の部材である。第２ドラグ座金６２ａは、前方に突出する段付き円板状部材であり、ドラグディスク６４ａ挟んで第１ドラグ座金６１の前方に配置され、第２ドラグ座金６２ｂは、ドラグディスク６４ｂを挟んで第１ドラグ座金６１の後方に配置される。第２ドラグ座金６２ｂとドラグ収納凹部６０の底面との間にドラグディスク６４ｃが配置される。第２ドラグ座金６２ａ，６２ｂは、中心にスプール軸１５の先端部に形成された互いに平行な面取り部１５ａに回転不能に係合する長円形の係止孔６２ｃをそれぞれ有している。この係止孔６２ｃがスプール軸１５の面取り部１５ａに係合することにより、第２座金６２ａ，６２ｂがスプール軸１５に対して回転不能になる。
【００４５】
ドラグディスク６４ａ〜６４ｃは、たとえばフェルト製の円板状の部材である。ドラグディスク６４ａ〜６４ｃは、第１及び第２ドラグ座金６１，６２ａ，６２ｂが滑らかに滑るようにするために設けられている。
【００４６】
フランジ固定部材５５の筒部５５ａの後端面と第２ドラグ座金６２ａとの間、具体的には、後端面とドラグ収納凹部６０の前部６０ａと後部６０ｂとの段差面との間には、スプール４の着脱時にドラグ座金６１，６２ａ，６２ｂが脱落するのを防止するための抜け止めばね６７が装着されている。抜け止めばね６７は、図４に示すように、金属製の弾性線材を折り曲げて形成されており、角部が前述した後端面と段差面との間に係止され、角部を結ぶ連結部が第２ドラグ座金６２ａに接触して脱落を防止する。
【００４７】
このような構成の２枚の第２ドラグ座金６２ａ，６２ｂの間に１枚の第１ドラグ座金６１を装着する場合、フランジ固定部材５５が糸巻胴部の内周面に装着された状態で、ドラグディスク６４ｃ，第２ドラグ座金６２ｂ，ドラグディスク６４ｂをこの順でドラグ収納凹部６０に装着する。次に、係止突起部６１ａが係止溝６０ｄのいずれかに係合するような位相にし、かつ係止突起部６１ａを先端にして斜めに傾けて筒部５５ａ内を通過させる。そして、筒部５５ａを先端が通過した時点で係止突起部６１ａが係止溝６０ｄに係合するように係止溝６０ｄに向けて第１ドラグ座金６１をずらす。これにより、係止突起部６１ａと逆側の外周面が筒部５５ａをかわせるようになり、係止突起部６１ａを旋回中心として逆側の外周面を旋回させて第１ドラグ座金６１をドラグディスク６４ｂに接触させる。そして、ドラグディスク６４ａ及び第２ドラグ座金６２ａをこの順で装着し、最後に抜け止めばね６７（図４参照）を装着してドラグ座金６１，６２ａ，６２ｂの装着を完了する。最後に、ドラグ座金６１，６２ａ，６２ｂを装着したのちにドラグつまみ６３を装着してフロントドラグ機構７の組立を完了する。
【００４８】
ドラグつまみ６３は、図３，図５及び図６に示すように、ドラグ力を手で調整する操作を行うためのつまみ本体７０と、つまみ本体７０に抜け止めされた状態で回転自在に装着された押圧体７１と、つまみ本体７０と押圧体７１との間に配置されたコイルばね７２と、押圧体７１をつまみ本体７０に対して抜け止めするための抜け止め部材７３と、抜け止め部材７３を抜け止めするための止め輪７４と、ドラグ操作時に発音する第２発音機構７５とを有している。
【００４９】
つまみ本体７０は、スプール軸１５の前部にねじ込まれるナット部材７７と、ナット部材７７が回転不能かつ軸方向移動自在に係合する合成樹脂製のナット収納部７９と、ナット収納部７９が回転不能に設けられるつまみ部８１とを備えている。
【００５０】
ナット部材７７は、たとえば、ステンレス合金製の六角形状の外周面を有するものであり、ナット収納部７９に回転不能かつ軸方向移動自在に収納されている。ナット部材７７は、スプール軸１５の前部外周面に形成された雄ねじ部１５ｂに螺合する。
【００５１】
ナット収納部７９は、たとえばポリアミド樹脂やポリアセタール樹脂等の合成樹脂製であり、つまみ部８１とインサート成形により一体成形されている。ナット収納部７９は、中心部に断面が六角形のナット収納孔７９ａを有し、外周面の６等配した位置の５箇所につまみ部８１に回転不能に係合する略半円形に突出した係合突起部７９ｂを有している。また、係合突起部７９ｂは、外周面の６等配した位置の残りの１箇所に第２発音機構７５を収納する収納凹部７９ｃが形成されている。
【００５２】
つまみ部８１は、たとえば、アルミニウム合金やマグネシウム合金などの軽量でかつ熱伝達性が高い金属製の部材である。つまみ部８１は、この実施形態では、アルミニウム合金素材を鍛造成形して形成された鍔部８２と筒状部８３とを有する部材である。鍔部８２の前面には、図４に示すように、略台形状に形成されたつまみ突起８２ａが直径に沿って形成されている。また、つまみ突起８２ａの周囲には、放射状に配置されたつまみ凹凸部８２ｂが凹んで形成されている。このような凹凸部８２ｂを設けることにより、つまみ部８１の外気に露出している部分の表面積が増加し、つまみ部８１をより冷却しやすくなり、つまみ部８１を介してドラグ座金６１，６２ａ，６２ｂをより効率よく冷却できる。つまみ突起８２ａの表面は、高断熱性を有する、たとえば４フッ化エチレン樹脂製の断熱カバー８２ｃ（図３）により覆われている。
【００５３】
筒状部８３は、図５及び図６に示すように、後端面に開口して形成された円形凹部８３ａと、円形凹部８１ａの内周面に形成され止め輪７４が係止される環状溝８３ｂと、円形凹部８３ａの底部に配置された連結凹部８３ｃとを有している。円形凹部８３ａの内周面に直径上に対向する２箇所には、抜け止め部材７３を回り止めするための半円形の回り止め溝８３ｅが形成されている。連結凹部８３ｃは、内周面の６等配した位置に略半円形の係合凹部８３ｄを有している。係合凹部８３ｄのうち５箇所には、ナット収納部７９の係合突起部７９ｂが係合している。残りの１箇所は、収納凹部７９ｃとで第２発音機構７５を収納する装着穴８３ｆを形成している。
【００５４】
押圧体７１は、たとえば、アルミニウム合金やマグネシウム合金などの軽量でかつ熱伝達性が高い金属製の部材である。押圧体７１は、第２ドラグ座金６２ａとつまみ本体７０との間に配置されている。押圧体７１は、つまみ本体７０に相対回転自在かつ軸方向に抜け止めされた状態で連結され、スプール軸１５に対して回転不能な部材である。押圧体７１は、コイルばね７２の後端に接触して配置されており、コイルばね７２のばね力の変化によりドラグ座金６１，６２ａ，６２ｂへの押圧力が変化する。押圧体７１は、つまみ本体７０から後方に突出する円筒部７１ａと、円筒部７１ａより大径であり円形凹部８３ａに収納されるリング状の鍔部７１ｂとを有する鍔付き有底筒状の部材である。円筒部７１ａの内周部には、スプール軸１５の先端に形成された互いに平行な面取り部１５ａに回転不能に係止する長円形状の係止孔７１ｃが形成されている。この円筒部７１ａ内にコイルばね７２が収納されている。鍔部７１ｂは、円形凹部８３ａに挿入可能な外径を有しており、その前端面には周方向に多数の半球状の音出し穴７６（図３）が並べて形成されている。押圧体７１は、抜け止め部材７３及び止め輪７４によりつまみ本体７０に抜け止めされた状態で連結されている。また、押圧体７１は、円筒部７１ａと鍔部７１ｂと間に両者の間の外周面に形成され抜け止め部材７３を装着するための装着部７１ｄと、円筒部７１ａの外周面に形成されシール部材６６を装着するための環状のシール取付溝７１ｅとを有している。
【００５５】
コイルばね７２は、ナット部材７７と押圧体７１との間に圧縮状態に装着されている。具体的には、コイルばね７２は、押圧体７１の円筒部７１ａ内にガイドされた状態でナット部材７７と円筒部７１ａの底部とに接触して配置されている。コイルばね７２は、つまみ本体７０の回動操作により押圧力を徐々に変化させるために設けられている。
【００５６】
止め輪７４は、弾性を有する概ねＣ字状に金属線材を湾曲して形成された部材である。止め輪７４は、環状溝８３ｂに係止される円周上の４等配した位置に形成された円弧状の４つの係止部７４ａと、係止部７４ａの間に抜け止め部材７３の後面に接触可能に係止部７４ａと逆方向に湾曲して形成された円弧状の抜け止め部７４ｂとを有している。止め輪７４は、装着時に縮径させて使用され、非装着時に僅かに拡がるように形成されている。これにより押圧体７１の鍔部７１ｂが円形凹部８３ａに抜け止めされた状態で収納される。
【００５７】
抜け止め部材７３は、押圧体７１の装着部７１ｄに装着可能な、たとえば、ポリアセタールや４フッ化エチレン樹脂などの滑りがよい硬質の合成樹脂製の略リング状の部材である。抜け止め部材７３の外周部には、つまみ本体７０の回り止め溝８３ｅに係合する係合突起７３ａ，７３ａが形成されている。この結果、抜け止め部材７３は、ドラグ力を調整操作する際につまみ本体７０とともに回動する。
【００５８】
押圧体７１を抜け止めする際には、ナット部材７７をナット収納孔７９ａに収納しかつコイルばね７２を押圧体７１に収納した状態で、押圧体７１をつまみ部８１の円形凹部８３ａに装着する。そして、係合突起７３ａを回り止め溝８３ｅに合わせて位置決めした状態で抜け止め部材７３を押圧体７１の装着部７１ｄに装着する。最後に、止め輪７４を縮径した状態で環状溝８３ｂに引っ掛けると、押圧体７１がつまみ本体７０に抜け止めされた状態で回転自在に装着される。
【００５９】
第２発音機構７５は、押圧体７１に形成された音出し穴７６と、装着穴８３ｆに装着された音出しピン８０と、音出しピン８０を音出し穴７６に向けて付勢するコイルばね７８とを有している。音出し穴７６は、装着穴８３ｆと対向可能な位置に周方向に間隔を隔てて多数形成されている。音出しピン８０は、中央部分が大径で先端及び後端が小径でさらに先端が半球状に丸められたピンであり、ドラグ操作時につまみ本体７０と押圧体７１とが相対回転すると、音出し穴７６との衝突を繰り返して発音する。
【００６０】
第１発音機構６５は、ドラグの作動によりスプール軸１５とスプール４とが相対回転すると発音する機構である。第１発音機構６５は、図３に示すようにスプール軸１５に回転不能に装着された音出し部材８５と、スプール４に揺動自在に装着され音出し部材８５と衝突を繰り返す爪部材８６と、爪部材８６を付勢するばね部材（図示せず）とを有している。
【００６１】
このような構成のフロントドラグ機構７では、ドラグつまみ６３のつまみ本体７０の大部分が従来のように熱を伝達しにくい合成樹脂製ではなく金属製であるので、ドラグつまみ６３の放熱性が高くなる。この結果、ドラグ収納空間６０を閉鎖するドラグつまみ６３からドラグ座金６１，６２ａ，６２ｂの熱が外部に放出されやすくなり、ドラグ座金６１，６２ａ，６２ｂを効率よく冷却できるようになる。
【００６２】
また、ステンレス合金製のナット部材７７とアルミニウム合金製のつまみ部８１との間に合成樹脂製のナット収納部７９とを設けて両者が直接接触しないようにしたので、異種間金属の接触による電解腐食を防止できる。また、合成樹脂でナット収納部７９を形成したので、六角形の内周面を型成形により精度良く簡単に形成できる。
【００６３】
＜リールの操作及び動作＞
釣りを行う前に魚の大きさや種類に合わせてドラグ力を調整する。ドラグ力を調整するには、ドラグつまみ６３を回す。ドラグつまみ６３をたとえば時計回りに回すとスプール軸１５に螺合するナット部材７７によりコイルばね７２の付勢力が徐々に大きくなり、コイルばね７２を介して押圧体７１がドラグ座金６２ａを押圧する。これによりドラグ力が大きくなる。このとき、押圧体７１とつまみ本体７０との相対回転により第２発音機構７５の音出しピン８０が音出し穴７６への衝突を所定間隔で繰り返し、歯切れがよい軽快なクリック音を発生する。
【００６４】
キャスティング時にはベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。この状態でハンドル１を糸巻取方向に回転させると、回転伝達機構５によりロータ３が糸巻取方向に回転するとともに、オシレーティング機構６により、スプール４が前後に往復移動し、ベールアーム４４がベール反転機構（図示せず）により糸巻取位置に復帰し釣り糸がスプール４に巻き付けられる。
【００６５】
この状態で魚がかかってドラグが作動すると、スプール４がスプール軸１５に対して回転する。すると、第１発音機構６５が発音してそのことを釣り人に報知する。そして、設定されたドラグ力でスプール４が糸繰り出し方向に回転する。このドラグ作動時には、第１ドラグ座金６１は、スプール４とともに回転し、第２ドラグ座金６２ａ，６２ｂは、スプール軸１５とともに回転しない。そして、両座金６１，６２ａ，６２ｂの摩擦により摩擦熱が発生する。発生した摩擦熱は、第２ドラグ座金６２ａを介して押圧体７１に伝達され、さらにつまみ本体７０に伝達され外気に放熱される。ここでは、ドラグつまみ６３は従来のように熱を伝達しにくい合成樹脂製ではなく金属製であるので、ドラグつまみ６３の放熱性が高くなる。この結果、ドラグ座金６１，６２ａ，６２ｂが収納されている空間を閉鎖するドラグつまみ６３からドラグ座金６１，６２ａ，６２ｂの熱が外部に放出されやすくなり、ドラグ座金６１，６２ａ，６２ｂを効率よく冷却できるようになる。
【００６６】
釣りを行う前などに、予め複数種の釣り糸を巻き付けたスプール４を用意し、スプール４を釣りに合わせて交換することがある。この場合には、ドラグつまみ６３を緩めてスプール軸１５から外す。このとき、抜け止め部材７３及び止め輪７４により押圧体７１がつまみ本体７０に連結されているので、押圧体７１がつまみ本体７０から脱落することがない。また、ドラグ座金６１，６２ａ，６２ｂも抜け止めばね６７により抜け止めされているのでスプール４から脱落することがない。
【００６７】
なお、つまみ部８１に形成される凹凸部８２ｂは、放射状に凹んで形成されたものに限定されず、凹凸部８２ｂは、つまみ部８１の表面積を増加するものであれば、どのような形態でもよい。たとえば、図７に示すように環状に凹んで形成されたものであってもよい。
【００６８】
＜第２実施形態＞
＜概略構成＞
図８において、本発明の一実施形態によるフロントドラグ機構を有するスピニングリールは、釣り竿に装着されハンドル１１０を回転自在に支持するリール本体１０１と、ロータ１０２と、スプール１０３と、スプール軸１１４と、回転伝達機構１０７と、オシレーティング機構１０８と、リアドラグ機構１０９とを備えている。ロータ１０２は、ベールアーム（釣り糸案内部の一例）１０４を有し、リール本体１０１の前部に前後軸回りに回転自在に装着されている。ベールアーム１０４には、釣り糸を案内するラインローラ１０５が装着されている。
【００６９】
スプール１０３は、ロータ１０２に案内された釣り糸が外周面に巻き付けられるものであり、ロータ１０２の前部に前後移動自在に配置されている。スプール軸１１４は、リール本体２に前後方向に移動自在に装着され先端にスプール１０３がワンタッチで着脱自在かつ回転不能に装着されたものである。回転伝達機構１０７は、ハンドル１１０の回転をロータ１０２に伝達するものである。オシレーティング機構１０８は、回転伝達機構１０７の回転に応じてスプール軸１１４を前後往復移動させて、釣り糸をスプール１０３に均一に巻き取るための機構である。右側とのいずれにも装着可能である。
【００７０】
リール本体１０１は、図８に示すように、内部に回転伝達機構１０７とオシレーティング機構１０８とを収納する空間を有するリールボディ１０１ａを有しており、リールボディ１０１ａの上部にはスピニングリールを釣り竿に取り付けるための竿取付脚部１０１ｂが形成されている。リールボディ１０１ａの後部には、後方に突出する装着筒部１０１ｃが一体で設けられている。リールボディ１０１ａは、たとえば、アルミニウム合金やマグネシウム合金などの軽量でかつ熱伝達性が高い金属製の部材である。
【００７１】
装着筒部１０１ｃは、装着筒部１０１ｃは、リールボディ１０１ａと一体形成された筒状部材であり、前後に並べて配置された抜け止め溝１２６と環状装着溝１２５とを外周面に有している。また、装着筒部１０１ｃは、図８から図１２に示すように、内周部に形成された雌ねじ部１０１ｄと、外周部から内周部に貫通し前後方向に長くなるように形成された貫通長穴１２３とを有している。装着筒部１０１ｃは、たとえばポリアミド等の合成樹脂または金属を型成型して得られたものであり、雌ねじ部１０１ｄと貫通長穴１２３とが１回の成型加工により同時に形成されている。雌ねじ部１０１ｄは、雌ねじ部１０１ｄが形成される部分に外周に雄ねじ部１０１ｄが形成された置き中子を装着した状態で成型加工し、成型後に置き中子を回転させて抜き取ることにより形成されている。貫通長穴１２３は、装着筒部１０１ｃの外側の金型に貫通長穴１２３が形成される部分に内側に突出する突起部を形成し、合成樹脂または金属を流し込むことにより雌ねじ部１０１ｄと同時に型成型する。
【００７２】
貫通長穴１２３は、図１１及び図１２に示すように、装着筒部１０１ｃの後端側の左右２箇所に形成されており、後述する第２ドラグ座金１１９ｂの突出部１１９ｄが係止可能である。貫通長穴１２３は、突出部１１９ｄが係止され前後方向に長い第１貫通長穴１２３ａと、第１貫通長穴１２３ａと連通し周方向に沿って形成された第２貫通長穴１２３ｂとを有する略Ｔ字状の貫通孔である。なお、第２貫通長穴１２３ｂは、後述するばね部材１２４が装着される環状装着溝１２５と一部が重なるように連通して形成されている。
【００７３】
このような装着筒部１０１ｃに第２ドラグ座金１１９ｂを装着するには、第２ドラグ座金１１９ｂを装着筒部１０１ｃの前後方向に傾けた状態で内周部に装着し、貫通長穴１２３に突出部１１９ｄを装着したときに第２ドラグ座金１１９ｂ全体を起こして貫通長穴１２３に突出部１１９ｄを係止する。装着筒部１０１ｃの内部には、スプール１０３を制動するリアドラグ機構１０９が収納されている。外部には、リアドラグ機構１０９の制動力を調整操作するためのドラグつまみ１０６が装着されている。
【００７４】
回転伝達機構１０７は、ハンドル１１０に連結されたハンドル軸１１０ａとともに回転するマスターギア１１１と、このマスターギア１１１と噛み合うピニオンギア１１２とを有している。ピニオンギア１１２は筒状に形成されており、その前部はロータ１０２の中心部を貫通してスプール１０３側に延びている。ピニオンギア１１２は、ボディ１０１ａに支持された軸受１１３ａ、１１３ｂによって回転自在に支持されている。そして、ピニオンギア１１２の中心部を、スプール軸１１４が回転軸芯に沿って前後方向に移動自在に貫通している。スプール軸１１４の先端にスプール１０３が回転不能に装着されている。ピニオンギア１１２の中心部において内径とスプール軸１１４の外径との間には、所定の隙間が確保されている。
【００７５】
オシレーティング機構１０８は、ハンドル１１０によってハンドル軸１１０ａを回転させることで、スプール軸１１４を前後方向に運動させる機構である。オシレーティング機構１０８は、スプール軸１１４の下奥側に配置された螺軸１１５と、螺軸１１５に沿って前後方向に移動するスライダ１１６と、螺軸１１５の下方に配置された図示しないガイド軸と、螺軸１１５の先端に固定されピニオンギア１１２に噛み合う図示しない中間ギアとを有している。螺軸１１５とガイド軸とは、スプール軸１１４と平行に配置されている。
【００７６】
リアドラグ機構１０９は、図９及び図１０に示すように、円筒状のブッシュ１１８と、３種類６枚の前後に並べて配置されたドラグディスク１１９ａ、第２ドラグ座金１１９ｂ、及び第１ドラグ座金１１９ｃからなる摩擦係合部１１９と、装着筒部１０１ｃにねじ込まれ、両ドラグ座金１１９ｃ，１１９ｂへの押圧量を調整可能な金属製のドラグつまみ１０６とを有している。
【００７７】
ブッシュ１１８は、スプール軸１１４後部の外周に回転不能かつ軸方向移動自在に装着されている。ブッシュ１１８の中央外周面上には音出しのための周方向に並べて形成された凹凸部１１８ａとフランジ部１１８ｂとが前後に並べて配置されている。ブッシュ１１８の後部外周面には面取り部１１８ｃが形成されている。また、ブッシュ１１８の内周部には、スプール軸１１４の後端部に形成された面取り部１１４ａに回転不能に装着される長孔部１１８ｄが形成されている。凹凸部１１８ａには、リールボディ１０１ａに装着された板ばね１２０の先端が接触している。これにより、ドラグ作動時にブッシュ１１８がスプール軸１１４とともに回転すると板ばね１２０が振動して発音する。
【００７８】
ドラグディスク１１９ａは、図１０に示すように、たとえばフェルト製の環状のワッシャ部材であり、フランジ部１１８ｂの後部から１枚おきに合計３枚配置される。
【００７９】
第２ドラグ座金１１９ｂは、外周部が貫通長穴１２３に係止され装着筒部１０１ｃに回転不能に係合して装着筒部１０１ｃに対して回転不能な耳付き座金であり、前から２番目と最後端とに２枚装着されている。第２ドラグ座金１１９ｂは、図１０及び図１２に示すように、径方向外方に突出し、装着筒部１０１ｃの貫通長穴１２３に係止可能な２つの突出部１１９ｄを有している。突出部１１９ｄは、図１２に示すように、左右方向の２箇所に対称となるように配置されている。また、第２ドラグ座金１１９ｂは、突出部１１９ｄの最外径が装着筒部１０１ｃの外周部の径より小径になるように形成されている。また、第２ドラグ座金１１９ｂの内周部１１９ｅの径は、ドラグディスク１１９ａ及び第１ドラグ座金１１９ｃの内径、すなわちブッシュ１１８の外径より大きくなるように形成されている。
【００８０】
第１ドラグ座金１１９ｃは、面取り部１１８ｃによりブッシュ１１８に回転不能に装着されスプール１０３とともに回転するキー座金であり、前から４番目に装着される。なお、摩擦係合部１１９のドラグディスク１１９ａ、及びドラグ座金１１９ｂ，１１９ｃの枚数や形状は例示であり、本実施形態に限定されない。
【００８１】
ドラグつまみ１０６は、図９及び図１０に示すように、スプール３の制動力を調整するためのつまみ本体１２７と、つまみ本体１２７にねじ込み固定されたねじ部材１２８と、つまみ本体１２７に回転不能にかつ軸方向移動自在に連結されかつ装着筒部１０１ｃの内周部にねじ込まれる金属製の押圧体１２２と、押圧体１２２と第２ドラグ座金１１９ｂとの間に配置されたコイルばね１２１と、を有している。
【００８２】
つまみ本体１２７は、たとえば、アルミニウム合金やマグネシウム合金などの軽量でかつ熱伝達性が高い金属製の部材である。つまみ本体１２７は、装着筒部１０１ｃを収納可能に後端が僅かに縮径した有底円筒状に形成され、回動操作によりスプール１０３の制動力を調節可能なものである。つまみ本体１２７の内周面の先端側には雌ねじ部１２７ａが形成されている。つまみ本体１２７の底面には押圧体１２２に向けて突出する係合凹部１２７ｂが形成されている。係合凹部１２７ｂは連結部１２２ｃに回転不能かつ軸方向移動自在に係合している。これにより、つまみ本体１２７を回動させると、雌ねじ部１０１ｄに螺合する押圧体１２２が回動して前後に移動し、コイルばね１２１を伸縮させ、ドラグ力を増減させる。つまみ本体１２７の外周面及び後端面には、表面積を増加させて冷却効率を高めるための凹凸部１２７ｄ，１２７ｅが形成されている。凹凸部１２７ｄは、つまみ本体１２７の外周面に周方向に間隔を隔ててかつ長手方向に沿って形成されている。凹凸部１２７ｅは、つまみ本体１２７の後端面に放射状に形成されている。なお、直径が異なる同心円を並べて配置して凹凸部を構成してもよい。
【００８３】
ねじ部材１２８は、たとえば、アルミニウム合金やマグネシウム合金などの軽量でかつ熱伝達性が高い金属製の部材である。ねじ部材１２８は、鍔付き筒状部材を直径上で２分割した半割鍔付き円筒形状の第１及び第２分割部材１２８ａ、１２８ｂを有している。第１及び第２分割部材１２８ａ、１２８ｂの外周面には、先端部につまみ本体１２７に当接する大径の鍔部１３１ａ、１３１ｂが、中間部につまみ本体１２７の内周面に形成された雌ねじ部１２７ａに螺合可能な雄ねじ部１２９ａ、１２９ｂがそれぞれ形成されている。鍔部１３１ａ、１３１ｂは、径方向外方に突出して形成されており、鍔部１３１ａ、１３１ｂの外径が雄ねじ部１２９ａ、１２９ｂの外形より大きくなっている。これにより、ねじ部材１２８の外周に形成された雄ねじ部１２９ａ、１２９ｂに、つまみ本体１２７の内周に形成された雌ねじ部２７ａを螺合させるときに、つまみ本体１２７をねじ部材２８の鍔部１３１ａ、１３１ｂに当接させてねじ部材１２８に確実に締め付け装着することができる。第１及び第２分割部材１２８ａ、１２８ｂの内周面の後端部には、抜け止め溝１２６に係合する抜け止め用の半割環状突起１３０ａ、１３０ｂが径方向内方に突出して形成されている。第１分割部材１２８ａの第２分割部材１２８ｂと対向する分割面には１対の位置決め突起１３２ａ（図１０参照）が形成されている。第２分割部材１２８ｂの第１分割部材１２８ａと対向する分割面には図示しない１対の位置決め穴が形成されている。これにより、２つの分割部材１２８ａ、１２８ｂは、確実に位置決めされ、分割された雄ねじ部１２９ａ、１２９ｂが雌ねじ部２７ａに螺合可能に整列される。
【００８４】
押圧体１２２は、たとえば、アルミニウム合金やマグネシウム合金などの軽量でかつ熱伝達性が高い金属製の部材である。押圧体１２２は、コイルばね１２１の他端を係止可能に前面凹んだ大径の鍔部１２２ａを前端部に有している。また、押圧体１２２の中央外周面には、音出し用の周方向に並んだ凹凸部１２２ｂが形成されている。後端外周面にはＸ字状に径方向に突出する連結部１２２ｃが形成されている。凹凸部１２２ｂには、装着筒部１０１ｃに装着されたばね部材１２４が接触している。押圧体１２２の鍔部１２２ａの外周面には、装着筒部１０１ｃの雌ねじ部１０１ｄに螺合する雄ねじ部１２２ｄが形成されている。
【００８５】
ばね部材１２４は、弾性線材を半円形に湾曲して形成されており、内側に突出するように折り曲げられた１対の突出部１２４ａが半円の両端に形成されている。ばね部材１２４は、装着筒部１０１ｃに形成された環状装着溝１２５に装着されている。環状装着溝１２５には、２箇所の貫通部１２５ａが形成されており、突出部１２４ａは貫通部１２５ａを貫通して凹凸部１２２ｂに接触している。このばね部材１２４は、ドラグ操作時に発音する機能と、押圧体１２２の抜け止めする機能とを有している。すなわち、突出部１２４ａは、鍔部１２２ａの背面側に接触して押圧体１２２が装着筒部１０１ｃの内周部から抜けるのを防止している。
【００８６】
次に、リアドラグリールの動作について説明する。
【００８７】
リール本体１０１からの糸繰り出し時には、ベールアーム１０４を糸開放側に倒す。そして、釣竿をキャスティングすると、スプール１０３から釣り糸が繰り出される。糸巻き取り時には、ベールアーム１０４を糸巻取側に戻す。この状態でハンドル１１０を糸巻取方向に回転させると、この回転力がハンドル軸１１０ａ及びマスターギア１１１を介してピニオンギア１１２に伝達される。ピニオンギア１１２に伝達された回転力は、ピニオンギア１１２の前部においてロータ１０２を回転させる。一方で、ピニオンギア１１２に伝達された回転力は、ピニオンギア１１２に噛み合う図示しない中間ギア介して螺軸１１５を回転させる。このとき、螺軸１１５の螺旋溝に噛み合うスライダ１１６が、ガイド軸に案内され前後方向に移動する。スライダ１１６が移動すると、スライダ１１６とともにスプール軸１１４とスプール１０３とが前後方向に往復移動する。こうしたロータ１０２の回転とスプール１０３の前後移動とによって、ベールアーム１０４及びラインローラ１０５から案内される釣り糸は、スプール１０３の外周に前後方向に均一に巻き取られる。
【００８８】
リアドラグ機構１０９は、スプール１０３を制動するものであり、つまみ本体１２７を回転させることによって、スプール１０３に対するドラグ力を調節できる。リール本体１０１の後部に配置されたつまみ本体１２７を締め付けると、押圧体１２２が前方へと移動し、押圧体１２２に接触するコイルばね１２１が押し込まれる。すると、摩擦係合部１１９のドラグディスク１１９ａ及びドラグ座金１１９ｂ，１１９ｃが互いに圧接し、ブッシュ１１８が複数のドラグディスク１１９ａ及びドラグ座金１１９ｂ，１１９ｃによってリールボディ１０１ａに向けて押圧される。このように、ブッシュ１１８がリールボディ１０１ａに向けて押圧されることによって、ブッシュ１１８に対して回動不能なスプール軸１１４も回転しにくくなり、スプール１０３に作用するドラグ力は強くなる。一方、つまみ本体１２７を弛めると、押圧体１２２は後方へと移動し、コイルばね１２１の押し込まれた状態が徐々に解除される。すると、ドラグディスク１１９ａ及びドラグ座金１１９ｂ，１１９ｃによるブッシュ１１８の押圧が解除されて、ブッシュ１１８に対して回動不能なスプール軸１１４は回転しやすくなり、スプール１０３に作用するドラグ力は弱くなる。
【００８９】
魚がかかってドラグが作動すると、スプール１０３及びスプール軸１１４とともに第１ドラグ座金１１９ｃが回転し、第２ドラグ座金１１９ｂに対して回転してスプール１０３が制動され、両ドラグ座金１１９ｂ，１１９ｃが発熱する。この熱は、コイルばね１２１を介して押圧体１２２及びつまみ本体１２７に伝達され外部に放出される。また、ドラグディスク１１９ａ及びドラグ座金１１９ｂ，１１９ｃが収納される装着筒部１０１ｃからも熱が外部に熱が放出される
この第２実施形態では、ドラグつまみ１０６は従来のように熱を伝達しにくい合成樹脂製ではなく金属製であるので、ドラグつまみ１０６の放熱性が高くなる。この結果、ドラグ座金１１９ｂ，１１９ｃが収納されている空間を閉鎖するドラグつまみ１０６からドラグ座金１１９ｂ，１１９ｃの熱が外部に放出されやすくなり、ドラグ座金１１９ｂ，１１９ｃを効率よく冷却できるようになる。
【００９０】
また、リアドラグ機構１０９をリール本体１０１に取り付ける構成では、装着筒部１０１ｃの外周部から内周部に貫通する貫通長穴１２３が設けられているので、雌ねじ部１０１ｄが形成される部分に置き中子を装着して抜き取ることが可能になり、このため成型加工によって貫通長穴１２３と雌ねじ部１０１ｄとを同時に形成することができる。したがって、従来のように切り欠き溝部を後加工する必要がないので、装着筒部１０１ｃの形成が容易になる。
【００９１】
＜他の実施形態＞
（ａ）前記実施形態では、凹凸部を凹部で構成したが凸部で構成してもよい。凹凸部の形状は放射状や環状に限定されず、点在する凹部や凸部であってもよい。凹凸部は、ドラグつまみの表面積を増加できる構造であればどのような構成でもよい。
【００９２】
また、ドラグつまみを貫通するように凹凸部を形成してもよい。この場合には、ドラグつまみの内外を空気が流通できるので、冷たい外気でドラグ座金を冷却できる。
【００９３】
（ｂ）ドラグ座金の枚数は前記実施形態に限定されず、ドラグ機構の容量等に応じて適宜の枚数にすることができる。
【図面の簡単な説明】
【００９４】
【図１】本発明の第１実施形態を採用したスピニングリールの側面図。
【図２】その側面断面図。
【図３】スプールの拡大断面図。
【図４】スプールの分解斜視図
【図５】ドラグつまみの分解斜視図。
【図６】ドラグつまみのつまみ本体の背面図。
【図７】変形例の図５に相当する図。
【図８】第２実施形態の図２に相当する図。
【図９】そのリアドラグ機構部分の断面部分図。
【図１０】リアドラグ機構の分解斜視図。
【図１１】装着筒部の半截断面図。
【図１２】リアドラグ機構の背面断面図。
【符号の説明】
【００９５】
４，１０３  スプール
７、１０９  ドラグ機構
１５，１１４  スプール軸
６１，１１９ｃ  第１ドラグ座金
６２ａ，６２ｂ、１１９ｂ  第２ドラグ座金
６３，１０６  ドラグつまみ
７１，１２２  押圧体
７２，１２１  コイルばね
７７  ナット部材
７９  ナット収納部
８１  つまみ部
８２ｂ，１２７ｄ  凹凸部
１０１ｃ  装着筒部
【図１】
2006304689.tif 000003
【図２】
2006304689.tif 000004
【図３】
2006304689.tif 000005
【図４】
2006304689.tif 000006
【図５】
2006304689.tif 000007
【図６】
2006304689.tif 000008
【図７】
2006304689.tif 000009
【図８】
2006304689.tif 000010
【図９】
2006304689.tif 000011
【図１０】
2006304689.tif 000012
【図１１】
2006304689.tif 000013
【図１２】
2006304689.tif 000014